【手続補正書】
【提出日】令和2年6月24日(2020.6.24)
【手続補正１】
【補正対象書類名】明細書
【補正対象項目名】００２９
【補正方法】変更
【補正の内容】
【００２９】
互いに対向する前ウエストパネル７の第１両側縁７ｃ，７ｄと後ウエストパネル８の第１両側縁８ｃ，８ｄとは、互いに重ね合わされ、縦方向Ｙへ断続的に並ぶサイドシーム９によって連結（例えば、熱エンボス加工、ソニック等による各種の熱溶着手段によって連結）され、ウエスト開口１０と一対のレッグ開口１１とが画定される。
【手続補正２】
【補正対象書類名】明細書
【補正対象項目名】００４７
【補正方法】変更
【補正の内容】
【００４７】
図５（ａ）を参照すると、第１コアカバーシート２２ａは、比較的にリグニン成分の含有率が低い低リグニン域（リグニン低含有域）５１と、低リグニン域５１よりもリグニン成分の含有率が高い高リグニン域（リグニン高含有域）５２とを有する。低リグニン域５１は、主として漂白パルプ繊維４１が集合して形成されており、高リグニン域５２は、主として未漂白パルプ繊維４２が集合して形成されている。第１コアカバーシート２２ａの平面視において、低リグニン域５１は、比較的に第１コアカバーシート２２ａの外表面の広い範囲に位置する周辺域であるのに対して、高リグニン域５２は、低リグニン域５１に対して散在するように配置されている。また、かかる配置態様を有することから、第１コアカバーシート２２ａは、低リグニン域５１を海、高リグニン域５２を島とする海島構造を有するともいえる。また、第２コアカバーシート２２ｂは、例えば、漂白パルプ繊維４１のみによって形成してある。
【手続補正３】
【補正対象書類名】明細書
【補正対象項目名】００５５
【補正方法】変更
【補正の内容】
【００５５】
本発明において、シートのパルプ繊維のカッパ価Ｋに関して、単位重量あたり未漂白パルプ繊維４２のカッパ価Ｋ１と、単位重量あたりの漂白パルプ繊維４１のカッパ価Ｋ２とを求め、それらの和（すなわちＫ＝Ｋ１＋Ｋ２）をシートのパルプ繊維のカッパ価としてある。表１の最上欄のシートａは、未漂白パルプ繊維４２の割合が０．０であり、漂白パルプ繊維４１の割合が１．０でシートを形成すると（換言すると、漂白パルプ繊維４１のみでシートを形成すると）、そのシートのパルプ繊維のカッパ価が１．０であることを意味する。表１の最下欄のシートｋは、未漂白パルプ繊維４２の割合が２５．０であり、漂白パルプ繊維４１の割合が０．０でシートを形成すると（換言すると、未漂白パルプ繊維４２のみでシートを形成すると）、そのシートのパルプ繊維のカッパ価が２５．０であることを意味する。表１の上から二番目の欄のシートｂは、単位重量あたりの未漂白パルプ繊維４２のカッパ価Ｋ１が２．５であり、単位重量あたりの漂白パルプ繊維４１のカッパ価が０．９であるため、シートのパルプ繊維のカッパ価が３．４となる。
【手続補正４】
【補正対象書類名】明細書
【補正対象項目名】００５７
【補正方法】変更
【補正の内容】
【００５７】
吸液性コアと第１コアカバーシートと防漏シートと裏面シートとをこの順に積層し、裏面シート側から肉眼で視たとき、薄茶色が視えるか否かの評価実験を行った。シートｄ〜シートｋは、被験者が薄茶色であることを視認でき、シートａ〜シートｃは、被験者が白色であることを視認できた。よって、第１コアカバーシート２２ａのパルプ繊維のカッパ価は、８．２より大きいことが好ましい。さらに、漂白工程を適宜バイパスすることによって、未漂白の程度を大きくし、パルプ繊維のカッパ価が４０．０のシートであれば、違和感のない茶色のシートとなることが明らかとなっているため、カッパ価は、４０．０より小さいことが好ましい。
【手続補正５】
【補正対象書類名】明細書
【補正対象項目名】００５８
【補正方法】変更
【補正の内容】
【００５８】
また、漂白パルプ繊維４１のみで形成したコアカバーシート２２のパルプ繊維のカッパ価は、１．０である。このため、第２コアカバーシート２２ｂに、表１のシートａを用い、かつ、第１コアカバーシート２２ａにシートｄを用いると、シートｄのパルプ繊維のカッパ価が８．２であるため、両者の差は、７．２となる。また、第１コアカバーシート２２ａにシートｄを用いると、シートｄのパルプ繊維のカッパ価が８．２であり、第２コアカバーシート２２ｂにシートｃを用いると、シートｃのパルプ繊維のカッパ価が５．８であるため、両者の差は２．４となる。これらの結果によって、第１コアカバーシート２２ａのパルプ繊維のカッパ価が８〜４０であって、第２コアカバーシート２２ｂのパルプ繊維のカッパ価と、第１コアカバーシート２２ａのパルプ繊維のカッパ価との差が２．４以上であることが好ましい。より好適には、第１コアカバーシート２２ａのパルプ繊維のカッパ価が８〜４０であって、第２コアカバーシート２２ｂのパルプ繊維のカッパ価と、第１コアカバーシート２２ａのパルプ繊維のカッパ価との差が７．２であることが好ましい。これらのシートを用いる理由としては、非肌対向面側に位置する第２コアカバーシート２２ｂに白色のシートを使用し、使用者および介護者に清潔感のある製品であるとの印象を与えることができるため、少なくともシートｃ、より好適にはシートａを用いるのが好ましい。また、肌対向面側に位置する第１コアカバーシート２２ａに薄茶色のシートを使用し、天然素材を使用したナチュラル志向の高い物品であるとの印象を与えることができるため、少なくともシートｄを用いることが好ましい。
【手続補正６】
【補正対象書類名】明細書
【補正対象項目名】００７２
【補正方法】変更
【補正の内容】
【００７２】
このおむつ１は、表面シート３１と第１コアカバーシート２２ａとの間に別部材である中間シート３９が位置する。中間シート３９は、漂白パルプ繊維で構成してあるか、若しくは構成繊維に二酸化チタン等の顔料を練り込み、白色である。このため、薄茶色の第１コアカバーシート２２ａによって、使用者に中間シート３９の位置を把握させることができる。
【手続補正７】
【補正対象書類名】明細書
【補正対象項目名】００７６
【補正方法】変更
【補正の内容】
【００７６】
表３に示すように、各社のインジケータのｂ値は、１５．８５〜２２．７２であって黄色である。また、本発明に使用するインジケータ７１もこの範囲に含まれる。このおむつ１の第２コアカバーシート２２ｂは白色であるため、インジケータ７１の位置を容易に視認することができる。
【手続補正８】
【補正対象書類名】明細書
【補正対象項目名】００８１
【補正方法】変更
【補正の内容】
【００８１】
吸収体２０は、第１端縁８０ａと対向する第１端縁２０ａと第２端縁８０ｂと対向する第２端縁２０ｂと、第１及び第２端縁２０ａ，２０ｂ間において縦方向へ延びる第１及び第２側縁２０ｃ，２０ｄとを有する。表裏面シート８１，８２は、吸収体２０の外周から外方へ延出しており、表面シート８１の肌対向面側には、横方向Ｘにおいて互いに対向するように縦方向Ｙへ延びる一対のサイドシート８４が配置される。一対のサイドシート８４は、表面シート８１に公知の接着手段又は溶着手段からなるサイド接合部（図示せず）を介して接合される。
【手続補正９】
【補正対象書類名】明細書
【補正対象項目名】００８２
【補正方法】変更
【補正の内容】
【００８２】
生理用ナプキン８０の縦方向Ｙの中央部分には、横方向Ｘの外側へ凸となる、両側縁部８７の一部によって形成されたウイング部８８が位置する。また、互いに積層されたシート８１，８２，８４は、生理用ナプキン８０の外周縁に沿って位置する外周シール部８９を介して互いに接合されている。
【手続補正１０】
【補正対象書類名】明細書
【補正対象項目名】００８３
【補正方法】変更
【補正の内容】
【００８３】
また、コアカバーシート２２の全体が、木材等の植物原料由来の薄茶色であるため、表面シート８１を介して吸液性コア２１に人工経血を滴下（５ｍｌ）したとき、肌対向面側から視た経血吸収領域と、吸液性コア２１を含む経血非吸収領域とにおいて、Ｌ＊ａ＊ｂ表色系（Ｌ＊ａ＊ｂ色空間、以下、単に「Ｌａｂと省略する。」）のａ値、ｂ値及びＬ値を測定した。実施例１には、中間シートを有しておらず、第１コアカバーシート２２ａの単位面積当たりの質量が１４ｇ／ｍ２の生理用ナプキン８０を用い、実施例２には、中間シートを有しておらず、第１コアカバーシート２２ａの単位面積当たりの質量が２０ｇ／ｍ２の生理用ナプキン８０を用いた。さらに、これらの実施例１〜２と比較するため、リグニン成分を含む第１コアカバーシートとリグニン成分を含まない中間シートを有し、第１コアカバーシート２２ａの単位面積当たりの質量が１４ｇ／ｍ２の比較例１のナプキン、リグニン成分を含まない白色のコアカバーシートを用いてあって表面シートにコットンを用いてある比較例２のナプキン、及びリグニン成分を含まない白色のコアカバーシートを用いてあって表面シートにコットンを用いてない比較例３のナプキンにも、同様に、表面シートを介して吸液性コア２１に標準経血を滴下したとき、肌対向面側から視た経血吸収領域と経血非吸収領域とにおいて、Ｌａｂ表色系のａ値、ｂ値及びＬ値を測定してみた。その実験結果を表４〜表７に示す。なお、人工経血には、イオン水、グリセリン、カルボメチルセルロースナトリウム、塩化ナトリウム、炭酸水素ナトリウム、色素赤１０２号、色素赤２号、色素黄５号（各色素は、株式会社丸紅商会製）を適量混合したものを使用した。
【手続補正１１】
【補正対象書類名】明細書
【補正対象項目名】００９１
【補正方法】変更
【補正の内容】
【００９１】
ところで、第１コアカバーシート２２ａの全体が、木材等の植物原料由来の薄茶色であり、吸収体２０が薄茶色である一方、ウイング部８８は白色である。そこで、吸液性コア２１を含む吸収体２０と、吸収体２０を含まないウイング部８８において、Ｌａｂ表色系のａ値を測定してみた。実施例１には、中間シートを有しておらず、吸収体の単位面積当たりの質量が１４ｇ／ｍ２の生理用ナプキン８０を用いた。さらに、実施例１と比較するため、リグニン成分を含まないコアカバーシートをそれぞれ用いてある比較例１〜３のナプキンも、同様に、吸液性コア２１を含む吸収体２０と、吸収体２０を含まないウイング部８８において、Ｌａｂ表色系のａ値を測定してみた。その実験結果を表７に示す。
【手続補正１２】
【補正対象書類名】明細書
【補正対象項目名】００９８
【補正方法】変更
【補正の内容】
【００９８】
１      使い捨ておむつ（吸収性物品）
２１    吸液性コア
２１ｄ  幅狭域
２２ａ  第１コアカバーシート（コアカバーシート）
２２ｃ  両側縁部
２２ｄ  両側縁部
２２ｂ  第２コアカバーシート（コアカバーシート）
２２ｅ  両側縁部
２２ｆ  両側縁部
２７    接合部
３１    表面シート
３１ａ  表面シート
３２    裏面シート
３９    中間シート（別部材）
４１    漂白パルプ繊維
４２    未漂白パルプ繊維
６１    凸部
６２    凹部
７１    インジケータ
８０    使い捨てナプキン（吸収性物品）
Ｌ１    接合部の長さ寸法
Ｗ１    両側縁部のうちの一方の側縁部の横方向の寸法
Ｗ２    両側縁部のうちの他方の側縁部の横方向の寸法
Ｗ４    吸収体の横方向の寸法
Ｘ      横方向
Ｙ      縦方向
Ｚ      厚さ方向
【手続補正１３】
【補正対象書類名】図面
【補正対象項目名】図９
【補正方法】変更
【補正の内容】
【図９】
2020000714.tif 000001
【手続補正１４】
【補正対象書類名】図面
【補正対象項目名】図１０
【補正方法】変更
【補正の内容】
【図１０】
2020000714.tif 000002
【手続補正１５】
【補正対象書類名】図面
【補正対象項目名】図１２
【補正方法】変更
【補正の内容】
【図１２】
2020000714.tif 000003